(57)【特許請求の範囲】
【請求項１】
指骨に固定するようにサイズ決めされ成形された骨固定プレートであって、
第１端から第２端まで延在するヘッドであって、第１及び第２の固定要素穴軸に沿って前記ヘッドを貫通して延在する第１及び第２の固定要素穴を有する、ヘッドと、
前記ヘッドの前記第２端から第３端まで中心縦軸に沿って延在し、前記中心縦軸に平行な方向に細長い長円形穴と、前記長円形穴の側方に配置された少なくとも１つの接続部分固定要素穴とを有する、接続部分と、
前記接続部分の前記第３端から第４端まで前記中心縦軸に沿って延在するシャフトと、を有し、前記シャフトが、前記中心縦軸に沿って延在する第３及び第４の固定要素穴を有し、前記シャフトが、第１の外側壁に沿って延在する複数の第１の突出部と、第２の外側壁に沿って延在する複数の第２の突出部とを有し、前記第１及び第２の突出部が、それらを貫通して延在する対応する突出部固定要素穴を有し、小径の延長部によって前記シャフトに接続され、前記第１及び第２の突出部が、前記シャフト上に交互に提供されている、骨固定プレート。
【請求項２】
前記長円形穴の断面が、８の字形である、請求項１に記載の骨固定プレート。
【請求項３】
前記骨固定プレートの外周が、前記骨固定プレートの外壁上のくぼみとして形成された複数の切欠きを有する、請求項１に記載の骨固定プレート。
【請求項４】
前記切欠きが、前記第１、第２、及び第３の固定要素穴のうちの隣接した固定要素穴の間に位置決めされている、請求項３に記載の骨固定プレート。
【請求項５】
前記切欠きが、複数のシャフト固定要素穴のうちの隣接したシャフト固定要素穴の間に位置決めされている、請求項４に記載の骨固定プレート。
【請求項６】
前記第１、第２、及び第３の固定要素穴及びシャフト固定要素穴が、可変角度の穴である、請求項４に記載の骨固定プレート。
【請求項７】
前記第１、第２、及び第３の固定要素穴及びシャフト固定要素穴が、ねじ式止め穴である、請求項４に記載の骨固定プレート。
【請求項８】
前記ヘッドが、中手骨の骨幹端の湾曲に一致する第１の輪郭で形成され、前記シャフトが、前記中手骨の骨幹の輪郭に一致する第２の輪郭で形成され、前記第１の輪郭が、前記第２の輪郭とは異なる、請求項１に記載の骨固定プレート。
【請求項９】
前記第１および第２の輪郭が、円筒の円弧の一部を形成する、請求項８に記載の骨固定プレート。
【請求項１０】
前記ヘッドの輪郭が、前記中心縦軸と平行に延在する軸に沿って集束する２つの平坦壁を有する、請求項６に記載の骨固定プレート。
【請求項１１】
前記ヘッドの幅が、前記接続部分及び前記シャフトの幅より大きい、請求項１に記載の骨固定プレート。
【請求項１２】
前記第１の突出部が、前記第１端の方に傾けられ、前記第２の突出部が、前記第２端の方に傾けられている、請求項１に記載の骨固定プレート。
【請求項１３】
前記第１の突出部の縦軸が、前記中心縦軸と第１の角度をなし、前記第２の突出部の縦軸が、前記中心縦軸と第２の角度をなす、請求項１２に記載の骨固定プレート。
【請求項１４】
前記第１の角度が、前記第２の角度と同じである、請求項１３に記載の骨固定プレート。
【発明の詳細な説明】
【技術分野】
【０００１】
本発明は、概して、手の骨折を固定するためのプレート、及びそのようなプレートを骨に埋め込むための方法に関する。
【背景技術】
【０００２】
特定の骨折を固定するための現在のシステム及び方法は、骨の湾曲に一致するように外科医が輪郭形成しなければならない骨プレートを含む。外科医は、ピンセット又は別の道具を使って骨プレートを掴み、骨プレートを手で操作して骨の湾曲に近い湾曲を得る。そのような骨プレートの剛性は、所望通りの湾曲となるように処理するのを困難にし、多くの従来の骨プレートの構造では、多くの面の湾曲を標的骨の複雑な湾曲とぴったり一致させることができない。
【発明の概要】
【課題を解決するための手段】
【０００３】
本発明は、指骨に固定するようにサイズ決めされ成形された骨プレートを目的とし、骨プレートは、第１端から第２端まで延在するヘッドであって、第１及び第２の固定要素穴軸に沿ってヘッドを貫通して延在する第１及び第２の固定要素穴を有するヘッドを有する。骨プレートは、また、ヘッドの第２端から第３端まで中心縦軸に沿って延在する接続部分を有し、接続部分は、中心縦軸に平行な方向に細長い長円形穴を有する。骨プレートは、また、接続部分の第３端から第４端まで中心縦軸に沿って延在するシャフトを有し、シャフトは、中心縦軸に沿って延在する第３及び第４の固定要素穴を有し、シャフトは、第１の外側壁に沿って延在する複数の第１の突出部と、第２の外側壁に沿って延在する複数の第２の突出部とを有し、第１及び第２の突出部は、それらを貫通して延在する対応する突出部固定要素穴を有し、小径の延長部によってシャフトに接続され、第１及び第２の突出部は、シャフト上に交互に提供されている。
【図面の簡単な説明】
【０００４】
具体例を挙げ添付の図面を参照して本発明のいくつかの実施形態について以下で述べる。
【図１】本発明の第１の例示的実施形態による骨プレートの斜視図である。
【図２】図１の骨プレートの上面図である。
【図３】線Ａ−Ａに沿った図１の骨プレートの断面図である。
【図４】線Ｂ−Ｂに沿った図１の骨プレートの断面図である。
【図５】線Ｃ−Ｃに沿った図１の骨プレートの断面図である。
【図６】図１の骨プレートの側面図である。
【図７】本発明の第２の例示的実施形態による骨プレートの斜視図である。
【図８】図７の骨プレートの上面図である。
【図９】線Ｄ−Ｄに沿った図７の骨プレートの断面図である。
【発明を実施するための形態】
【０００５】
本発明を、以下の説明及び添付の図面を参照して更に理解することができ、添付の図面において、類似の構成要素は同じ参照番号で指し示されている。本発明は、骨折を治療するための装置及び方法に関し、詳細には、中手骨の骨折を固定するための装置に関する。より具体的には、本発明による例示的な骨固定プレートは、骨の頭部内で破片を捕捉するために骨の骨幹端部の上に配置されうる。本発明の例示的な実施形態は、ヘッドと細長いシャフトとを有する骨固定プレートについて述べ、プレートは、骨折ないしは別の方法で破損した骨の外側面に対して位置決めされるように構成される。骨プレートの、骨プレートを貫通して延在する複数の穴を取り囲む部分は、穴より幅が小さく穴の間に切欠きを形成するウェブによって互いに接続される。後でより詳細に述べるように、例示的な骨プレートの切欠きが形成された外形は、プレートの構造的完全性を損なうことなく骨プレートを曲げるのに必要な力を小さくする。骨プレートは、更に、ヘッドとその細長いシャフトとの間に延在する接続領域を有する。接続領域は、１つ又は２つ以上のプレート穴と、骨プレートの縦軸に対して実質的に平行に延在する縦軸を有する長円形の貫通開口部とを有する。例示的な実施形態では、長円形開口部は、８の字形と似た丸まった端部と狭い中間部分とを有する。後でより詳細に述べるように、この貫通開口部は、骨プレートを骨の輪郭と一致するように成形するのに役立つように位置決めされ、配向される。細長いシャフトは、骨プレートの縦軸に対して平行に延在し、かつ骨プレートを貫通して延在する複数のプレート穴を含む第１の本体部分を有する。シャフトは、更に、骨プレートの縦軸から角度がずれた第２の本体部分軸に沿って、シャフトの第１及び第２の外側壁から延出している第２の本体部分を有する。第２の本体部分は、第２の本体部分を貫通して延在するプレート穴を有し、このプレート穴は、第２の本体部分のプレート穴が、第１の本体部分のプレート穴から軸方向にずらされるように位置決めされる。例示的な骨プレートは、標的骨のプレートが取り付けられる部分の輪郭と実質的に一致する輪郭であらかじめ形成される。例示的なシステム及び方法は中手骨の骨折の固定を対象としているが、例示的な骨固定システムは、本発明の範囲から逸脱することなく他の骨に使用されうることに注意されたい。例えば、プレートは、指骨や中手骨などの足の骨の固定に使用されてもよい。
【０００６】
図１〜図６に示されるように、本発明による骨プレート１００は、ヘッド１０４を含む第１端１０２からシャフト１０８を含む第２端１０６まで中心縦軸１１０に沿って延在する。骨プレート１００は、シャフト１０８の幅より大きい幅を有するヘッド１０４を有する。３つの可変角度の穴１１２、１１４、１１６が、ヘッド１０４を貫通して延在し、中心縦軸１１０に対して直角に延在する軸１２０に沿って互いに位置合わせされる。例示的な実施形態では、ヘッド１０４は、図３に示されるように、ヘッド１０４が乗る骨の部分の湾曲に対応するように選択された第１の湾曲を有する（この湾曲は、プレート１００を処置している骨の特定の解剖学的構造に合わせるために、外科医が必要に応じて修正してもよい）。この例示的な実施形態におけるヘッド１０４の湾曲は、プレート穴１１２、１１６のそれぞれのプレート穴軸１１３、１１７が、４６°の角度αで交差するように選択される。プレート穴１１２、１１６は、後でより詳細に述べるように、プレートの湾曲を考慮して、プレートの平面に対して垂直又は実質的に垂直に延在するように向けられている。また、この構成は、プレート穴１１２、１１６のねじ山の数を減らさないように選択される。更に、この構成は、プレート穴１１２、１４、１１６に挿入された骨ねじの先端が骨内で互いにぶつからないことを保証する。いくつかの実施形態では、角度αは、４６°未満でもよく、０°ほどの小ささでもよい。この実施形態でのプレート穴１１４のプレート穴軸１１５は、骨プレート１００の上面に対して直角に延在して、軸１１３及び１１７の交点にできる角度を二分する。例示的な実施形態では、骨プレート１００のあらかじめ成形された湾曲は、中心縦軸１１０に対して実質的に均一かつ対称である。別の実施形態では、骨プレート１００は、軸１１０に対して非対称の湾曲を有してもよい。代替実施形態では、ヘッド１０４の半径は、ヘッド１０４の長さに沿って変化する曲率半径を有してもよい。ヘッド１０４の穴１１２を取り囲む部分と、ヘッド１０４の穴１１４を取り囲む部分との間に、第１のウェブ１２２が延在する。第２のウェブ１２２は、ヘッド１０４の穴１１４を取り囲む部分と、ヘッド１０４の穴１１６を取り囲む部分との間に延在する。ウェブ１２２は、ヘッド１０４の、穴１１２、１１４及び１１６を取り囲む大きい直径の部分の間に、骨プレート１００の構造的完全性を維持しながらヘッド１０４の外形を小さくする切欠き１２４を形成する。例示的な実施形態では、切欠き１２４は、ヘッド１０４の外周に沿って実質的に凹状の切り取り部分を形成する。ウェブ１２２の幅は、好ましくは少なくとも２．４ｍｍ±０．５ｍｍである。この実施形態では、プレート穴１１２、１１４、１１６は、ウェブ１２２の各側面の部分１２６が、ウェブ１２２の最小幅において実質的に真っ直ぐに延在することを可能にする距離だけ互いから離される。平坦部分１２６の長さが、プレート穴１１２、１１４、１１６の間を所望の間隔にするか、ヘッド１０４の幅の増大を最小にしながらより多数のプレート穴に対応するように変更されてもよいことに注意されたい。
【０００７】
接続領域１２８は、シャフト１０８とヘッド１０４の間に延在し、ヘッド１０４の幅より小さいがシャフト１０８の幅より大きい幅で形成される。シャフト１０８は、貫通して延在する１対の可変角度の穴１３０、１３２を有する接続領域１２８を有する。図４に示されるように、この実施形態による接続領域１２８の湾曲は、穴１３０、１３２のプレート穴軸１３１、１３３が２３°の角度βで交差するように選択される。角度αと同様に、角度βは、後でより詳細に述べるように、プレート穴１３０、１３２が、プレートの湾曲を考慮してプレートの面に対して垂直又は実質的に垂直に延在するように選択されてもよい。更に、この構成は、プレート穴１３０、１３２に挿入された骨ねじの先端が骨内で互いにぶつからないことを保証する。いくつかの実施形態では、角度βは、２３°未満でもよく、０°ほどの小ささでもよい。長円形穴１３４は、その縦軸が中心縦軸１１０と位置合わせされて、接続領域１２８を貫通して延在する。穴１３４は、その中央領域より幅広の丸い端部を有し、したがって穴１３４は８の字形と似ている。すなわち、図２に示されるように、穴１３４は、２つの実質的に円形の開口部１３６、１３８を有し、開口部１３６、１３８はそれぞれ、開口部１３６、１３８の直径より大きい距離だけ縦軸に沿って互いから離され、円形開口部１３６、１３８の直径より小さい幅を有する中央領域１４０を介して互いに対して開いている。この例示的な構成は、ヘッド１０４とシャフト１０８が、標的骨の標的部分の湾曲とよりぴったりと適合するように、穴１３４の中央領域１４０を中心に所望通りに曲がるのを容易にする。
【０００８】
シャフト１０８は、接続領域１２８から離れる方向に、中心縦軸１１０に沿って延在する。シャフト１０８には、中心縦軸１１０に沿って複数の可変角度のプレート穴１４２が形成される。この実施形態におけるプレート穴１４２のプレート穴軸１４３は、骨プレート１００の上面に実質的に垂直である。しかしながら、当業者が理解するように、各プレート穴軸１４３は、対応する可変角度の穴１４２によって可能な角度範囲がその穴１４２に望ましい角度範囲を提供するような、任意の所望の角度であってよい。複数の第１の突出部１４４が、シャフト１０８の第１の外側壁１４６から横方向外方に突出し、複数の第２の突出部１４８が、第２の外側壁１４７から横方向外方に突出する。第１及び第２の突出部１４４、１４８はそれぞれ、貫通して延在する可変角度のプレート穴１５０を有する。図５により明確に示されるように、プレート１００は、第１の突出部１４４の領域内で湾曲され、それにより、プレート穴１５０のプレート穴軸１５１が、骨プレート１００を貫通してプレート１００の表面に垂直な中心縦軸１１０と交差する軸１５２と角度γをなす。例示的な実施形態では、シャフト１０８の湾曲は、図５に示されるように、骨の解剖学的構造と一致するようにヘッド１０４の湾曲とは異なる。シャフト１０８の長さに沿ったプレート１００の湾曲は、一定のままでもよく、又はプレート１００が取り付けられる骨の部分の形状に一致するように必要に応じて変化してもよいことを当業者は理解するであろう。図１に示されるように、第１の突出部１４４は、中心縦軸１１０から離れる方向に、第２端１０６に向けて角度を付けられて延出している。好ましい実施形態では、第１の突出部１４４の縦軸１５４は、中心縦軸と約２２°の角度をなす。この角度は、プレート穴１５０に差し込まれたねじが、骨内に確実に位置決めされることができるように選択され、プレートの穴１５０の位置に応じて（例えば、軸１１０と軸プレート穴１５０との間の距離に応じて）１０〜９０°の範囲とすることができる。第２の突出部１４８は、第１の突出部１４４に実質的に類似しており、貫通して延在するプレート穴１５０を有している。しかしながら、第１の突出部１４４と違って、第２の突出部１４８は、シャフト１０８から離れる方向に第１端１０２に向かって延出している。第２の突出部１４８の縦軸によって囲まれた角度は、第１の突出部１４４の角度と同じである。代替実施形態では、第１の突出部１４４によって囲まれた角度は、第２の突出部１４８によって囲まれた角度と同じではない。例示的な実施形態では、シャフト１０８は、交互になった第１及び第２の突出部１４４、１４８を有し、第１及び第２の突出部１４４、１４８に差し込まれたねじのねじ衝突を防ぐために、第１の突出部１４４で始まっている。また、第１及び第２の突出部１４４、１４８の例示的な配置は、骨と骨プレート１００全体にわたって応力を分散させるのに役立ち、通常は標準の固定プレートによってアクセスできない骨の選択部分上の骨ねじの骨パーチェスを高める。例示的な実施形態は、４つの突出部を有するように示されているが、特定の処置の要件に適合するように任意の数と配置が使用されうることに注意されたい。更に、シャフト１０８は、プレート１００のプレート穴１４２を取り囲む部分と、突出部１４４、１４８をシャフト１０８に接続するプレート１００の部分とを接続する複数のウェブ１２２を有する。より詳細に後で述べるように、ウェブ１２２は、骨プレートの強度を維持しながら骨プレート１００の外形を最小にするようにサイズ決めされる。図１に示したように、この実施形態による骨プレート１００の外周は、外形を更に小さくするために丸みのあるテーパを有する。
【０００９】
本発明による例示的な方法によれば、当業者が理解するように、ヘッド１０４は、シャフト１０８が骨の骨幹の方に延在する状態で標的骨の骨幹端部の上に位置決めされる。骨プレート１００のヘッド１０４は、骨幹端部の一部分のまわりに延在して骨折破片を捕捉する。必要に応じて、外科医又は他のユーザは、道具（例えば、プライヤ、ピンセットなど）を使用して、ヘッド１０４、シャフト１０８、並びに第１及び第２の突出部１４４、１４８のいずれか又は全ての湾曲を、骨プレート１００を骨の上に面一で取り付けるように適応させてもよい。後でより詳細に述べるように、骨プレート１００の例示的な構造は、複数の平面内の個別の部分の曲げを可能にし、更に、骨プレート１００の隣接部分の湾曲に影響を及ぼすことなく、骨プレートの特定部分（例えば、第１及び第２の突出部１４４、１４８）の曲げを可能にする。これと対照的に、従来技術のシステムは、その剛性特性によって、曲げにくいだけでなく、骨プレートの選択部分の独立した湾曲を妨げる。したがって、本発明の例示的な実施形態は、骨プレートを、骨の湾曲に一致するように選択的に曲げるのを可能にする。更に、長円形穴１３４は、中心縦軸に沿ってヘッド１０４をシャフト１０８に対して曲げるのを可能にする。骨プレート１００が所望の湾曲に曲げられたら、骨プレートを骨の上に位置決めし、所望の位置のいずれかにおいて、骨折の特性に基づいて外科医によって決定された順序で、プレート穴１１２、１１４、１１６、１４２、１３０、１３２及び１５０に差し込まれた骨ねじ（例えば、可変角度の止めねじ、図示せず）を使用して、骨プレートを骨に固定する。当業者が理解するように、この実施形態による骨プレート１００のプレート穴１１２、１１４、１１６、１３０、１３２、１４２及び１５０は全て、１．５ｍｍの皮質骨ねじ又は１．５ｍｍの止めねじを受容するように形成された、１．５ｍｍの固定圧縮プレートねじ穴である。しかしながら、本発明の範囲から逸脱することになく、任意の他のサイズのプレート穴を、そのような穴のいずれか又は全ての代わりとすることができることに注意されたい。そのような代替サイズについては、図７と図８に関して後述される。
【００１０】
図７〜図９は、本発明の別の実施形態による骨プレート２００を示す。骨プレート２００は、後述の場合を除き、骨プレート１００と実質的に同じように形成される。骨プレート２００は、骨プレート１００のプレート穴１１２、１１４、１１６、１３０、１３２、１４２、１５０に対応するプレート穴２１２、２１４、２１６、２３０、２３２、２４２、２５０を有する。しかしながら、プレート穴２１２、２１４、２１６、２３０、２３２、２４２、２５０は、１．３ｍｍのプレート穴である。更に、骨プレート１００は、実質的に丸い湾曲を有するように形成されているが、より詳細に後述されるように、骨プレート２００は、平面屈曲と湾曲の組み合わせで予備成形される。
【００１１】
図９に示すように、プレート穴２１２、２１６のプレート穴軸２１３、２１７は、２０°の角度δで交差する。この角度が単に例示であり、例えば、骨プレート１００に関して前述した角度のような、本発明の範囲から逸脱しない他の角度が使用されうることに注意されたい。骨プレート２００の骨接触面２０１は、尖っているか又は実質的に丸い継目２０７で交わる第１及び第２の平坦壁２０３、２０５を規定する屈曲を有するようにあらかじめ輪郭形成される。例示的な実施形態では、平坦壁２０３、２０５は、骨プレート２００の平坦で曲がりのない構成に対応する軸２０９に対して約１０度曲げられている。例示的な平坦壁２０３、２０５は、指骨の骨幹端により良好に適合する外形を提供し、更に製造方法を容易にする。１．５ｍｍの穴を使用すると、平坦壁２０３、２０５は、中手骨幹端の外形にほぼ合致することができる。骨プレート２００の接続領域２２８は、ヘッド２０４と同じように曲げられてもよい。骨プレート２００のシャフト１０８は、骨プレート１００に関して上で開示されたのと同じように湾曲していてもよい。
【００１２】
更に、図７に示されるように、骨プレート２００は、可変角度の穴の代わりに円錐形のねじ式止め穴を有してもよく、この止め穴は、骨ねじ（図示せず）の半円形ヘッド（図示せず）を取り付ける湾曲壁２５２を有する非ねじ式凹部と、骨ねじのシャフトとねじ式に係合するように形成されたねじ山を有するねじ式シャフト部分２５４とを有する。
【００１３】
当業者であれば、添付の特許請求の広義の範囲から逸脱することなく、本発明に種々の改変及び修正を行うことができることを理解するであろう。これらのうちのいくつかは上記で検討されており、その他は、当業者には明らかであろう。
【００１４】
〔実施の態様〕
（１）  指骨に固定するようにサイズ決めされ成形された骨固定プレートであって、
第１端から第２端まで延在するヘッドであって、第１及び第２の固定要素穴軸に沿って前記ヘッドを貫通して延在する第１及び第２の固定要素穴を有する、ヘッドと、
前記ヘッドの前記第２端から第３端まで中心縦軸に沿って延在し、前記中心縦軸に平行な方向に細長い長円形穴を有する接続部分と、
前記接続部分の前記第３端から第４端まで前記中心縦軸に沿って延在するシャフトと、を有し、前記シャフトが、前記中心縦軸に沿って延在する第３及び第４の固定要素穴を有し、前記シャフトが、第１の外側壁に沿って延在する複数の第１の突出部と、第２の外側壁に沿って延在する複数の第２の突出部とを有し、前記第１及び第２の突出部が、それらを貫通して延在する対応する突出部固定要素穴を有し、小径の延長部によって前記シャフトに接続され、前記第１及び第２の突出部が、前記シャフト上に交互に提供されている、骨固定プレート。
（２）  前記長円形穴の断面が、８の字形である、実施態様１に記載の骨固定プレート。
（３）  前記骨プレートの外周が、前記骨プレートの外壁上のくぼみとして形成された複数の切欠きを有する、実施態様１に記載の骨固定プレート。
（４）  前記切欠きが、前記第１、第２、及び第３の固定要素穴のうちの隣接した固定要素穴の間に位置決めされている、実施態様３に記載の骨固定プレート。
（５）  前記切欠きが、前記複数のシャフト固定要素穴のうちの隣接したシャフト固定要素穴の間に位置決めされている、実施態様４に記載の骨固定プレート。
【００１５】
（６）  前記第１、第２、及び第３の固定要素穴及び前記シャフト固定要素穴が、可変角度の穴である、実施態様４に記載の骨固定プレート。
（７）  前記第１、第２、及び第３の固定要素穴及び前記シャフト固定要素穴が、ねじ式止め穴である、実施態様４に記載の骨固定プレート。
（８）  前記ヘッドが、中手骨の骨幹端の湾曲に一致する第１の輪郭で形成され、前記シャフトが、前記中手骨の骨幹の輪郭に一致する第２の輪郭で形成され、前記第１の輪郭が、前記第２の輪郭とは異なる、実施態様１に記載の骨固定プレート。
（９）  前記輪郭が、円筒の円弧の一部を形成する、実施態様６に記載の骨固定プレート。
（１０）  前記ヘッドの輪郭が、前記中心縦軸と平行に延在する軸に沿って集束する２つの平坦壁を有する、実施態様６に記載の骨固定プレート。
【００１６】
（１１）  前記ヘッドの幅が、前記接続部分及び前記シャフトの幅より大きい、実施態様１に記載の骨固定プレート。
（１２）  前記第１の突出部が、前記第１端の方に傾けられ、前記第２の突出部が、前記第２端の方に傾けられている、実施態様１に記載の骨固定プレート。
（１３）  前記第１の突出部の縦軸が、前記中心縦軸と第１の角度をなし、前記第２の突出部の縦軸が、前記中心縦軸と第２の角度をなす、実施態様１２に記載の骨固定プレート。
（１４）  前記第１の角度が、前記第２の角度と同じである、実施態様１３に記載の骨固定プレート。
【図１】
0006648044.tif 000002
【図２】
0006648044.tif 000003
【図３】
0006648044.tif 000004
【図４】
0006648044.tif 000005
【図５】
0006648044.tif 000006
【図６】
0006648044.tif 000007
【図７】
0006648044.tif 000008
【図８】
0006648044.tif 000009
【図９】
0006648044.tif 000010